(57)【要約】【課題】携帯電話機所有者の現在地の地図情報を自動的に取得し、予め指定した通知先へ通知（送出）することができる携帯電話機を提供すること。【解決手段】入力部１３が通知先電話番号及びメールアドレス設定部１３２を具備し、ＧＰＳ位置情報取得部１６２と基地局位置情報取得部１６４とを具備する現在地位置情報取得１６と、内蔵地図情報読出し部１７２と外付け地図情報受信部１７４とを具備する現在地地図情報取得部１７と、現在地地図情報送出部１８とを備える携帯電話機１０であって、ＧＰＳ又は携帯電話の基地局から現在地位置情報を取得して、この現在地位置情報をもとに内蔵地図情報または外部の地図情報ＤＢから現在地地図情報を取得し、この現在地地図情報を当携帯電話機のＩＤを付加して、任意に又は要求に応じて、指定した通知先へ送出するようにした。【選択図】　　　　図２
2004096544.tif 000002
【特許請求の範囲】
【請求項１】
全体制御部とアンテナを介して外部と通信する通信制御部と、通知先電話番号及びメールアドレス設定部を具備する入力部と、出力部と記憶部と、ＧＰＳ位置情報取得部と基地局位置情報取得部とを具備する現在地位置情報取得部と、内蔵地図情報読出し部と外付け地図情報受信部とを具備する現在地地図情報取得部と、現在地地図情報送出部と電源制御部とを備える携帯電話機であって、
現在地地図情報を取得する場合、自動的に、ＧＰＳが接続されているか否かを判断し、ＧＰＳが接続されている場合は、ＧＰＳからの現在地位置情報を取得し、またＧＰＳが接続されていない場合は、当携帯電話機が通信している基地局の現在地位置情報を取得して、記憶部へ格納する機能、
この現在地位置情報をもとに自動的に現在地地図情報を取得して記憶部へ格納し、表示及び／又は出力する機能を有する、
ことを特徴とする現在地地図情報自動取得機能付携帯電話機。
【請求項２】
請求項１に記載の携帯電話機において、
現在地位置情報から現在地地図情報を取得する場合、自動的に、地図情報を内蔵しているか否かを判断し、格納されている現在地位置情報をもとに、地図情報を内蔵している場合は、格納されている地図情報から現在地地図情報を読出し、格納し、表示する機能、また地図情報を内蔵していない場合は、予め指定した外付け地図情報ＤＢへアクセスして地図情報を検索し、現在地地図情報を読出し、格納し、表示する機能を有する、
ことを特徴とする現在地地図情報自動取得機能付携帯電話機。
【請求項３】
請求項１又は請求項２に記載の携帯電話機において、
入力部は現在地地図情報の送出時刻及び送出時間間隔設定部を備え、
指定した通知先からの送出要求に応じて、操作により又は自動的に、又は、任意に、及び／又は設定した時刻又は時間間隔で自動的に、指定した通知先へ、取得した現在地地図情報を当携帯電話機のＩＤを付加して送出する機能を有する、
ことを特徴とする現在地地図情報自動取得機能付携帯電話機。
【発明の詳細な説明】
【０００１】
【発明の属する技術分野】
本発明は、現在地地図情報を自動的に取得する機能及び取得した現在地地図情報を任意に、及び／又は自動的に、指定した通知先へ送出する機能を有する現在地地図情報自動取得機能付携帯電話機に関する。
【０００２】
【従来の技術】
ＧＰＳ衛星を利用して現在地の位置情報を高精度で得るナビゲーションシステムが携帯電話機でも利用できるサービスが提供されている。
また現在地の位置情報をもとに、その付近の地図情報を取得できるサービスも提供されている。
【０００３】
【発明が解決しようとする課題】
本発明は、上述した携帯電話機によるナビゲーション機能、及び地図情報取得機能を用いて、携帯電話機の所有者の現在地位置情報及び地図情報を自動的に取得し、任意に、又は要求に応じて自動的に、予め指定した通知先へ通知（送出）することができる現在地地図情報自動取得機能付携帯電話機を提供することを目的とする。
【０００４】
【課題を解決するための手段】
上記目的を達成するために、本発明の現在地地図情報自動取得機能付携帯電話機は、全体制御部１１とアンテナ１２２を介して外部と通信する通信制御部１２と、通知先電話番号及びメールアドレス設定部１３２を具備する入力部１３と、出力部１４と記憶部１５と、ＧＰＳ位置情報取得部１６２と基地局位置情報取得部１６４とを具備する現在地位置情報取得１６と、内蔵地図情報読出し部１７２と外付け地図情報受信部１７４とを具備する現在地地図情報取得部１７と、現在地地図情報送出部１８と電源制御部１９とを備える携帯電話機であって、現在地地図情報を取得する場合、自動的に、ＧＰＳが接続されているか否かを判断し、ＧＰＳが接続されている場合は、ＧＰＳからの現在地位置情報を取得し、またＧＰＳが接続されていない場合は、当携帯電話機が通信している基地局の現在地位置情報を取得して、記憶部へ格納する機能、この現在地位置情報をもと自動的に現在地地図情報を取得して記憶部へ格納し、表示及び／又は出力する機能を有する。
【０００５】
また、現在地位置情報から現在地地図情報を取得する場合、自動的に、地図情報を内蔵しているか否かを判断し、格納されている現在地位置情報をもとに、地図情報を内蔵している場合は、格納されている地図情報から現在地地図情報を読出し、格納し、表示する機能、また地図情報を内蔵していない場合は、予め指定した外付け地図情報ＤＢへアクセスして地図情報を検索し、現在地地図情報を読出し、格納し、表示する機能を有する。
【０００６】
さらに、入力部１３は現在地地図情報の送出時刻及び送出時間間隔設定部１３４を具備し、指定した通知先からの送出要求に応じて、操作により又は自動的に、又は、任意に、及び／又は設定した時刻又は時間間隔で自動的に、指定した通知先へ、取得した現在地地図情報を当携帯電話機のＩＤを付加して送出する機能を有する。
【０００７】
【発明の実施の形態】
本発明の実施の形態を実施例にもとづき図面を参照して説明する。
図１は、本発明の携帯電話機を利用した現在地位置情報及び現在地地図情報検知システムの説明図である。
まず地球上空に打ち上げられている複数のＧＰＳ衛星Ｓ１、Ｓ２、Ｓ３が発信する電波信号Ｗ１、Ｗ２、Ｗ３を受信することにより、所有者Ｐは携帯電話機１０により、現在地の位置を検知することができる。
【０００８】
これらのＧＰＳ電波信号に代えて、地球上に固定された携帯電話機の基地局Ｇ１からの電波信号Ｗ４を受信して、現在地の位置情報を検知することもできる。またこの基地局Ｇ１からの電波信号Ｗ４を受信し、位置情報を得ることもできる。
また、上記基地局Ｇ１を介して、この位置情報をもとに外部の地図情報ＤＢ（データベース）にアクセスし、その位置の地図情報３０を取得することができ、携帯電話機１０の表示画面２０に、現在地４０とともに現在地の地図情報３０を表示することができる。
【０００９】
本発明は、上述した機能を用いて、携帯電話機１０の所有者Ｐの現在地地図情報を自動的に取得し、これを任意に、又は要求に応じて、操作により又は自動的に、又は、設定した時刻又は時間間隔で自動的に、予め設定した通知先へ電話又はメールで、携帯電話機のＩＤを付加して通知することができるものである。
【００１０】
図２は、本発明の携帯電話機が具備する構成のブロック図である。
全体を符号１０で示す携帯電話機は、全体制御部１１を有し、全体を制御する。通信制御部１２はアンテナ１２２を介して外部との通信を行う。入力部１３は通知先電話番号及びメールアドレス設定部１３２と現在地地図情報送出時刻及び送出時間間隔設定部１３４を具備する。出力部１４は地図情報３０等の画像情報を表示する。記憶部１５は取得した情報及び設定した情報等を記憶する。
【００１１】
現在地の位置情報取得部１６はＧＰＳによる位置情報取得部１６２及び基地局による位置情報取得部１６４を具備する。現在地地図情報取得部１７は内蔵地図情報読出し部１７２及び外付け地図情報受信部１７４を具備する。内蔵地図情報読出し部１７２は予め格納されている地図情報から取得した位置情報に対応する地図情報を読み出すことができ、また外付け地図情報受信部１７４は取得した位置情報を基地局を介して例えば予め指定した地図情報ＤＢ（データベース）にアクセスして地図情報を検索することにより、位置情報に対応した現在地地図情報が基地局を介して送信されてくるので、この現在地地図情報を受信する。現在地地図情報送出部１８は指定した通知先に携帯電話機のＩＤを付加して、取得した現在地地図情報を送出（送信）する。電源制御部１９は、携帯電話機全体に必要な電力を供給する。
【００１２】
携帯電話機に、入力部１３の通知先電話番号及びメールアドレス設定部１３２により、予め通知先電話番号又はメールアドレスを指定しておくことにより、携帯電話機の所有者Ｐが移動する現在地地図情報が自動的に取得されて、その現在地地図情報に携帯電話機のＩＤが付加されて自動的に指定された通知先へ通知されるので、その通知を受けて携帯電話機を所有者Ｐの現在位置を容易に確認することができる。
【００１３】
図３は、携帯電話機により、自動的に、現在地の位置情報及びそれに対応する現在地地図情報を取得し、指定先に通知する場合の自動処理フロー図である。
ステップＳ１０で処理がスタートし、（なお指定した通知先の電話番号又はメールアドレスは予め設定されている。）ステップＳ１１で現在地地図情報が要求されているかチェック（判断）し、要求されていなければ処理が終了し（ステップＳ２１）、要求されていれば、ステップＳ１２でＧＰＳが接続されているかチェックし、接続されていれば、ステップＳ１３でＧＰＳから現在地の位置情報を自動的に取得し、当携帯電話機の記憶部へ格納する。
【００１４】
ステップＳ１２でＧＰＳが接続されていない場合は、ステップＳ１４で当携帯電話機が通信している基地局の現在地位置情報を取得して、携帯電話機内に格納してステップＳ１５へ進む。
このようにして携帯電話機１００を所持した人Ｐの現在地の位置を確認することができる。
【００１５】
ステップＳ１５で当携帯電話機が現在地の地図情報を内蔵しているかチェックし、内蔵していればステップＳ１６で格納した現在地位置情報からそれに対応する現在地地図情報を読出し、内蔵していなければステップＳ１７で取得した位置情報を基地局を介して例えば予め指定した地図情報ＤＢ（データベース）にアクセスして検索することにより、位置情報に対応した現在地地図情報が基地局を介して送信されてくるので、この現在地地図情報を受信し、取得する。
ステップＳ１８で上記の読出し、或いは取得した現在地地図情報を格納し、表示し、出力する。ステップＳ１９で指定した通知先から送出要求があるかチェックし、Ｎ（ノー）であれば処理を終了し（ステップＳ２１）、Ｙ（イエス）であれば、ステップＳ２０で当携帯電話機のＩＤを付加して現在地地図情報を指定した通知先へ送出（送信）して、ステップＳ２１で自動処理を終了する。
【００１６】
図３では指定した通知先から予め現在地地図情報の要求がある場合に、自動的に、携帯電話機が現在位置情報を取得し、指定先に通知する場合の自動処理のフローを示したが、予め現在地地図情報の送出時刻又は送出時間間隔を設定しておくことにより、設定した時刻又は時間間隔毎に自動的に、携帯電話機が現在地地図情報を取得し、指定した通知先に携帯電話機のＩＤを付加して通知するようにすることもできる。
【００１７】
またこのような場合にも、任意に現在地地図情報送出の要求があると、現在地地図情報を自動的に取得し、指定した通知先に携帯電話機のＩＤを付加して、操作により又は自動的に通知するようにすることもできる。
さらに現在地地図情報送出の要求がなくても、携帯電話機を所有者が、任意の位置で現在地の位置情報取得の操作をして、現在地位置情報及びそれに対応する現在地地図情報を自動的に取得し、指定した通知先へ携帯電話機のＩＤを付加して操作により又は自動的に送出（送信）するようにすることもできる。
【００１８】
【発明の効果】
本発明によれば、予め指定した通知先の電話番号又はメールアドレスを指定しておくことにより、任意に、及び／又は設定した時刻又は時間間隔で自動的に、携帯電話機の所有者Ｐが移動する現在地地図情報が自動的に取得されて、指定された通知先へ携帯電話機のＩＤを付加して通知されるので、その通知を受けて携帯電話機の所有者Ｐの現在地の位置を地図上で容易に確認することができる。
【図面の簡単な説明】
【図１】本発明の携帯電話機を利用した現在地位置情報及び現在地地図情報検知システムの説明図である。
【図２】本発明の携帯電話機が具備する構成のブロック図である。
【図３】携帯電話機により、自動的に、現在地の位置情報及びそれに対応する現在地地図情報を取得し、指定先に通知する場合の自動処理フロー図である。
【符号の説明】
１０　携帯電話機
２０　表示画面
３０　地図情報
Ｓ１、Ｓ２、Ｓ３　ＧＰＳ衛星
Ｇ１　携帯電話機の基地局
【図１】
2004096544.tif 000003
【図２】
2004096544.tif 000004
【図３】
2004096544.tif 000005